(57)【要約】【課題】１客室の内線番号をダイヤル発信するだけで、コネクトルームの全ての内線電話機を同時に呼び出すことができる構内交換システムを提供する。【解決手段】主内線番号（上記、内線１に相当）と、主内線番号にコネクトされる着信先内線番号（内線２および内線３に相当）が記載されたコネクト内線データテーブルを格納する制御装置４を有する構内交換機２を備える。【選択図】図１
2007142635.tif 000002
【特許請求の範囲】
【請求項１】
１つの内線番号をダイヤル発信すると、前記内線番号の内線電話機を呼び出すとともに、内線番号の異なる複数の内線電話機を同時に呼び出す構内交換システムにおいて、
構内交換機は、前記１つの内線番号を主内線番号として、該主内線番号に関連した着信先内線番号をコネクト内線データテーブルとして記憶する記憶装置を備え、ダイヤル発信された内線番号が前記コネクト内線データテーブルの主内線番号と一致する場合、前記主内線番号および該主内線番号に関連した前記着信先内線番号の内線電話機を同時に呼び出すことを特徴とする構内交換システム。
【請求項２】
前記記憶装置は、前記主内線番号毎に、現在の内線状態、前記接続先内線を記憶する内線状態管理テーブルを備えたことを特徴とする請求項１記載の構内交換システム。
【請求項３】
前記構内交換機は、前記コネクト内線データテーブルに、前記主内線番号および前記着信先内線番号を設定し、あるいは削除する端末装置を収容することを特徴とする請求項１記載の構内交換システム。
【発明の詳細な説明】
【技術分野】
【０００１】
本発明は、ホテル、旅館、病院等に設置される構内交換システムに係り、特に、１つの内線番号をダイヤル発信して内線番号の異なる複数の内線電話機を同時に呼び出すことが可能な構内交換システムに関する。
【背景技術】
【０００２】
ホテルや旅館などでは、客室間を仕切っている間仕切りを取り外し、複数の客室を一客室（コネクトルーム）として提供したり、逆にコネクトルームに間仕切りをして複数の客室として提供することがある。
【０００３】
例えば、３つの客室をコネクトルームとして提供した場合、複数の内線電話機（例えば、３台の客室電話機）の内線番号は、それぞれ元の客室の内線番号になっているため、１つの客室電話機の内線番号をダイヤル発信しても、１つの客室電話機を呼び出すだけで、コネクトルーム全体の客室電話機（３台）を同時に呼び出すことができない。
【０００４】
従来の構内交換システムは、コネクトルームの複数の客室電話機を同時に呼び出すために、元の客室の内線番号と異なる仮想内線番号を設定することにより、仮想内線番号をダイヤル発信すると、コネクトルームの全て（例えば、３台）の客室電話機を呼び出すものが知られている。
【０００５】
また、従来の構内交換システムは、「特許文献１」に開示されているように、部署毎（部単位、課単位など）の複数の内線電話機をグループ化し、それぞれのグループにグループ番号を設定することにより、グループ番号に着信すると、グループを構成する全ての内線電話機に着信させ、いずれの内線電話機からも応答できるものである。
【特許文献１】特開２００５−２１７７１９号公報
【発明の開示】
【発明が解決しようとする課題】
【０００６】
従来の構内交換システムは、コネクトルームの全ての内線電話機を呼び出すためには、仮想内線番号を設定するため、本来の客室内線電話機の内線番号（客室番号と同じ）と異なってしまい、仮想番号を間違えてしまったり、覚えるのが煩わしい課題がある。
【０００７】
また、コネクトルームの客室構成および解消が、頻繁に行われる場合には、仮想番号の変更も多く、仮想番号の変更または解消の設定に、多くの時間が費やされる。
【０００８】
「特許文献１」に開示された従来の構内交換システムも、グループ番号をグループの共通番号とするので、上記と同じような課題がある。
【０００９】
なお、複数の旅行者がフロアの異なる客室に宿泊しているようなケースで、１つの客室の内線番号を呼び出すと、複数の旅行者の客室を全て呼び出せるようにできるシステムも望まれている。
【００１０】
この発明はこのような課題を解決するためになされたもので、その目的は１客室の内線番号をダイヤル発信するだけで、コネクトルームの全ての内線電話機を同時に呼び出すことができる構内交換システムを提供することにある。
【課題を解決するための手段】
【００１１】
前記課題を解決するためこの発明に係る構内交換システムは、１つの内線番号をダイヤル発信すると、内線番号の内線電話機を呼び出すとともに、内線番号の異なる複数の内線電話機を同時に呼出す構内交換システムにおいて、構内交換機は、１つの内線番号を主内線番号として、主内線番号に関連した着信先内線番号をコネクト内線データテーブルとして記憶する記憶装置を備え、ダイヤル発信された内線番号がコネクト内線データテーブルの主内線番号と一致する場合、主内線番号および主内線番号に関連した着信先内線番号の内線電話機を同時に呼び出すことを特徴とする。
【００１２】
この発明に係る構内交換システムの構内交換機は、１つの内線番号を主内線番号として、主内線番号に関連した着信先内線番号をコネクト内線データテーブルとして記憶する記憶装置を備え、ダイヤル発信された内線番号がコネクト内線データテーブルの主内線番号と一致する場合、主内線番号および主内線番号に関連した着信先内線番号の内線電話機を同時に呼び出すので、一つの客室番号を覚え、その客室番号（主内線番号）をダイヤル発信するだけで、コネクトルームの全ての内線電話機を同時に呼び出すことができる。
【００１３】
また、この発明に係る記憶装置は、主内線番号毎に、現在の内線状態、接続先内線を記憶する内線状態管理テーブルを備えたことを特徴とする。
【００１４】
この発明に係る記憶装置は、主内線番号毎に、現在の内線状態、接続先内線を記憶する内線状態管理テーブルを備えたので、構内交換機は、全ての内線電話機の状態を把握することができる。
【００１５】
さらに、この発明に係る構内交換機は、コネクト内線データテーブルに、主内線番号および着信先内線番号を設定し、あるいは削除する端末装置を収容することを特徴とする。
【００１６】
この発明に係る構内交換機は、コネクト内線データテーブルに、主内線番号および着信先内線番号を設定し、あるいは削除する端末装置を収容するので、主内線番号および着信先内線番号の設定または削除する単純な操作で、コネクトルームの設定または解消ができる。
【発明の効果】
【００１７】
この発明に係る構内交換システムの構内交換機は、１つの内線番号を主内線番号として、主内線番号に関連した着信先内線番号をコネクト内線データテーブルとして記憶する記憶装置を備え、ダイヤル発信された内線番号がコネクト内線データテーブルの主内線番号と一致する場合、主内線番号および主内線番号に関連した着信先内線番号の内線電話機を同時に呼び出すので、一つの客室番号を覚え、その客室番号（主内線番号）をダイヤル発信するだけで、コネクトルームの全ての内線電話機を同時に呼び出すことができ、使い勝手の良さをアピールすることができる。
【００１８】
また、この発明に係る記憶装置は、主内線番号毎に、現在の内線状態、接続先内線を記憶する内線状態管理テーブルを備えたので、構内交換機は、全ての内線電話機の状態を把握することができ、コネクトルームの内線電話機の呼出しを適切に実行することができる。
【００１９】
さらに、この発明に係る構内交換機は、コネクト内線データテーブルに、主内線番号および着信先内線番号を設定し、あるいは削除する端末装置を収容するので、主内線番号および着信先内線番号の設定または削除する単純な操作で、コネクトルームの設定または解消ができ、利便性の向上を図ることができる。
【発明を実施するための最良の形態】
【００２０】
以下、この発明の実施の形態を添付図面に基づいて説明する。図１はこの発明に係る構内交換システムの一実施の形態システム構成図である。なお、構内交換システムは、ホテルに設置された場合について説明する。
【００２１】
図１において、構内交換システムは、ホテル内に設置された構内交換機２と、客室に設置された客室電話機である内線電話機ＴＥＬ１〜ＴＥＬｎと、フロントに設置され、パーソナルコンピュータなどで構成される端末装置９とから構成されている。
【００２２】
構内交換機２は、時分割交換機で構成され、ライン回路ＬＮ１〜ＬＮｎ相互間、ライン回路ＬＮ１〜ＬＮｎとレジスタＲＧ１〜ＲＧｋとの間を接続し、通話路を形成する通話路スイッチ３、内線電話機ＴＥＬ１〜ＴＥＬｎが収容されるライン回路ＬＮ１〜ＬＮｎ、内線電話機ＴＥＬ１〜ＴＥＬｎに発信音（ダイヤルトーン）送信し、ダイヤル発信（ここでは、内線ダイヤル発信）を受信するレジスタＲＧ１〜ＲＧｋ、構内交換機２の全体動作を制御する制御装置４、局データ、コネクト内線データテーブルＴCおよび内線状態管理テーブルＴSなどを記憶する記憶装置５が設けられている。
【００２３】
また、通話路スイッチ３、制御装置４および記憶装置５は、制御バスＢＵＳを介して接続されている。
【００２４】
さらに、構内交換機２は、電話機インタフェース部６、レジスタインタフェース部７および端末装置インタフェース部８を有しており、電話機インタフェース部６、レジスタインタフェース部７および端末装置インタフェース部８は、それぞれ制御バスＢＵＳを介して制御装置４に接続されている。
【００２５】
また、電話機インタフェース部６、レジスタインタフェース部７および端末装置インタフェース部８は、それぞれライン回路ＬＮ１〜ＬＮｎ、レジスタＲＧ１〜ＲＧｋおよび端末装置９に接続されている。
【００２６】
内線電話機ＴＥＬ１〜ＴＥＬｎは、例えば内線番号「１０００」，…，「１０１０」，…，「１１０１」が付与され、簡易化して「内線１」，…，「内線１０」，…，「内線ｎ」としても示されている。
【００２７】
端末装置９は、パーソナルコンピュータで構成され、一般的に、ホテルシステム管理用のホストコンピュータの端末装置としてフロントなどに設置されている。
【００２８】
内線電話機ＴＥＬ１〜ＴＥＬｎ相互間の通話について、構内交換機２の動作概要を示す。内線電話機ＴＥＬｎ（内線ｎ：内線番号「１１０ｎ」）の送受器（ハンドセット）を持上げると（オフフック）、ライン回路ＬＮｎから電話機インタフェース部６を介して制御装置４が起動される。
【００２９】
制御装置４は、レジスタインタフェース部７を介してレジスタＲＧ１〜ＲＧｋの空きを検索し、空いているレジスタ（例えば、レジスタＲＧ１）を捕捉して、ライン回路ＬＮｎと補足したレジスタＲＧ１の間を通話路スイッチ３を介して接続させる制御を行う。
【００３０】
レジスタＲＧ１から内線電話機ＴＥＬｎ（内線ｎ：内線番号「１１０ｎ」）に発信音（ダイヤルトーン）が送出される。内線電話機ＴＥＬｎから、例えば内線番号「１０００」の内線発信が送信されると、レジスタＲＧ１は、内線ダイヤル発信を受信し、再びレジスタインタフェース部７を介して制御装置４を起動し、内線呼出要求としてダイヤル番号（内線番号「１０００」）を転送する。
【００３１】
制御装置４は、受信したダイヤル番号（内線番号「１０００」）を解析し、内線番号「１０００」の内線電話機ＴＥＬ１が接続されているライン回路ＬＮ１を電話機インタフェース部６を介して捕捉し、ライン回路ＬＮ１から着信信号を内線電話機ＴＥＬ１に送出させ、内線電話機ＴＥＬ１のリンガを鳴動させる制御を行う。
【００３２】
内線電話機ＴＥＬ１の送受器（ハンドセット）を持上げて（オフフック）、着信に応答することにより、再度、電話機インタフェース部６を介して制御装置４が起動される。制御装置４は、内線電話機ＴＥＬｎ（発信者）のライン回路ＬＮｎと内線電話機ＴＥＬ１（着信応答者）のライン回路ＬＮ１とを通話路スイッチ３を介して接続させ、内線の通話路を形成する制御を行う。ライン回路ＬＮｎとライン回路ＬＮ１との間の通話路が形成されることにより、内線電話機ＴＥＬｎ（発信者）と内線電話機ＴＥＬ１（着信応答者）の通話が可能になる。
【００３３】
次に、複数の客室をコネクトルーム化し、コネクト内線でコネクトルームの全ての内線電話機を同時に呼び出す場合について説明する。例えば、内線電話機ＴＥＬ１（内線１：内線番号「１０００」）、内線電話機ＴＥＬ２（内線２：内線番号「１００１」および内線電話機ＴＥＬ３（内線３：内線番号「１００２」）の３客室をコネクトルームとし、内線１〜内線３にコネクト内線を設定し、内線１の内線番号「１０００」をダイヤル発信して、内線１〜内線３を同時に呼び出すケースについて説明する。
【００３４】
コネクト内線を実行するに際して、ダイヤルの対象となる主内線番号（上記、内線１に相当）と、主内線番号にコネクトされる着信先内線番号（上記、内線２および内線３に相当）が記載されたコネクト内線データテーブルを構内交換機２の記憶装置５に記憶させる。
【００３５】
なお、主内線番号は、予め構内交換機２に収容される全ての内線電話機ＴＥＬ１〜ＴＥＬｎ（内線１〜内線ｎ）を対象にしてコネクト内線データテーブルに記憶（登録）され、着信先内線番号は、コネクトルームを形成する時に、必要に応じて主内線番号にコネクトしてコネクト内線データテーブルに登録される。
【００３６】
図２はこの発明に係るコネクト内線データテーブルの一実施の形態イメージ構成図である。図２において、コネクト内線データテーブルＴCは、主内線番号エリアＪMおよび着信先内線番号エリアＪRから構成される。
【００３７】
主内線番号エリアＪMには、構内交換機２に収容される内線電話機ＴＥＬ１〜ＴＥＬｎの全ての内線番号（ここでは、内線１〜内線１０）が登録される。
【００３８】
着信先内線番号エリアＪRには、主内線番号に関連してコネクト内線を構成する着信先内線番号が登録される。例えば、主内線番号１０００（内線１）に関連して着信先内線番号１００１（内線２）および着信先内線番号１００２（内線３）がコネクト内線を形成し、主内線番号１０００（内線１）にダイヤル発信すると、内線１、内線２および内線３に同時に着信させることができる。
【００３９】
同様に、主内線番号１００３（内線４）に関連して着信先内線番号１００４（内線５）がコネクト内線を形成し、内線４にダイヤル発信すると、内線４および内線５に同時に着信させることができる。
【００４０】
一方、主内線番号は独立して登録されているので、着信先内線としてコネクト内線を形成していても、例えば主内線番号１０００（内線１）に対する着信先内線番号１００１（内線２）の場合、内線２にダイヤル発信すると、通常のように、内線２だけに着信させることができる。
【００４１】
コネクト内線（例えば、内線１〜内線３）の場合、いずれの内線を呼出しの代表とするかによって、主内線番号と着信先内線番号の関係が変わるため、主内線番号（内線２）と着信先内線（内線１）および着信先内線番号（内線３）に設定することにより、主内線２にダイヤル発信して内線１〜内線３に同時に着信させることもできる。
【００４２】
主内線番号に関連した着信先内線番号は、端末装置９から入力され、端末装置インタフェース部８→制御バスＢＵＳ→制御装置４→記憶装置５の経路で、コネクト設定情報を提供することにより着信先内線番号エリアＪRに設定される。
【００４３】
また、着信先内線番号は、端末装置９から入力され、端末装置インタフェース部８→制御バスＢＵＳ→制御装置４→記憶装置５の経路で、コネクト解除情報を提供することにより、着信先内線番号エリアＪRから消去される。
【００４４】
図４はこの発明に係るコネクト設定情報／コネクト解除情報の一実施の形態イメージ図である。図４において、コネクト設定情報ＪSは、主内線番号番号（内線ｊ：ｊ＝１〜ｎ）と設定内線番号（内線ｉ：ｉ＝１〜ｎ）で構成され、図２に示す着信先内線番号エリアＪRに、主内線番号の着信先内線番号として設定内線番号が登録される。具体的には、設定内線番号をコネクト内線データテーブルＴCの着信先内線番号エリアＪRに書き込むことによって実行される。
【００４５】
そして、コネクト設定情報ＪSの設定内線番号が着信先内線番号エリアＪRに登録されることによって、主内線番号がダイヤル発信された場合、主内線番号に関連した着信先内線番号にもリンガを鳴動させることが可能になる。
【００４６】
コネクト解除情報ＪOは、主内線番号（内線ｊ：ｊ＝１〜ｎ）と解除内線番号（内線ｉ：ｉ＝１〜ｎ）で構成され、図２に示す着信先内線番号エリアＪRから、主内線番号の着信先内線番号として解除内線番号が解除される。具体的には、解除内線番号をコネクト内線データテーブルＴCの着信先内線番号エリアＪRから消去することによって実行される。
【００４７】
そして、コネクト解除情報ＪOの解除内線番号が着信先内線番号エリアＪRから消去されることによって、主内線番号がダイヤル発信された場合、消去された内線のリンガを鳴動させないことが可能になる。
【００４８】
図３はこの発明に係る内線状態管理テーブルの実施の形態イメージ図である。図３において、内線状態管理テーブルＴSは、内線番号エリアＪａ、内線状態エリアＪｂおよび接続先内線番号エリアＪｃから構成される。
【００４９】
内線番号エリアＪａには、予め構内交換機２が収容する内線電話機ＴＥＬ１〜ＴＥＬｎ（ここでは、内線１〜内線１０）の全ての内線番号が登録される。内線状態エリアＪｂには、内線番号（内線１〜内線１０）の空き、発信中（発呼中）、着信中、通話中などのように、内線番号の現在の呼状態を表すデータが登録される。接続先内線番号エリアＪｃには、内線番号エリアＪａの内線１〜内線１０に対し、現在接続されている内線番号が登録される。
【００５０】
内線状態管理テーブルＴSの内線状態エリアＪｂおよび接続先内線番号エリアＪｃのデータは、制御装置４が発信、着信ならびに通話の制御を行うことにより、登録（記憶）または消去される情報である。
【００５１】
例えば、内線状態管理テーブルＴSの内線１は、内線状態エリアＪｂが着信中であり、接続先内線番号エリアＪｃが内線４であるので、内線４からの呼出しによって着信中であることが認識されることになる。
【００５２】
また、内線状態管理テーブルＴSの内線４は、内線状態エリアＪｂが発呼中（発信中）、接続先内線番号エリアＪｃが内線１、内線２および内線３なので、図２のコネクト内線データテーブルＴCに示す内線１を主内線番号、内線２および内線３を着信先内線番号としたコネクト内線へのダイヤル発信で、内線１〜内線３が全て着信状態にあることが認識される。
【００５３】
図５はこの発明に係る操作情報の実施の形態イメージ図である。図５において、操作情報ＪKは、操作情報の種類を表したデータであり、操作種別、操作者および付加情報で構成され、例えば、内線発信の場合、操作種別に内線呼出し、操作者に発呼内線番号（発信者）、付加情報に呼出内線番号（着信応答者）を有し、制御装置４により制御される。
【００５４】
図６はこの発明に係るコネクト登録／コネクト解除の一実施の形態処理動作フロー図である。図６において、制御装置４は、常に、端末装置９から提供されるコネクト設定情報ＪSまたはコネクト解除情報ＪOの受信情報があるか否かを監視している（ステップＳ１００）。受信情報がある場合には、コネクト設定情報ＪSまたはコネクト解除情報ＪOから主内線番号（内線ｊ）を抽出する（ステップＳ１０１）。
【００５５】
続いて、コネクト内線データテーブルＴCの先頭の主内線番号（内線１）を指定する（ステップＳ１０２）。そして、指定した主内線番号と、抽出した主内線番号が一致するか否かを判定する（ステップＳ１０３）。一致する場合には、コネクト設定情報ＪSから設定内線番号（内線ｉ）またはコネクト解除情報ＪOから解除内線番号（内線ｉ）を抽出する（ステップＳ１０４）。次に、指定したコネクト内線データテーブルＴCの先頭の主内線番号に関連した着信先内線番号を指定する（ステップＳ１０５）。
【００５６】
ステップＳ１０５で指定した着信先内線番号と、抽出した設定内線番号（内線ｉ）または解除内線番号（内線ｉ）が一致するか否かを判定する（ステップＳ１０６）。一致しない場合には、次の着信先内線番号を指定する（ステップＳ１０７）。
【００５７】
ステップＳ１０７で指定した着信先内線番号が最終の着信先内線番号を超えたか否かを判定する（ステップＳ１０８）。最終を超えていない場合には、ステップＳ１０６〜ステップＳ１０８のステップを繰り返す。
【００５８】
ステップＳ１０８で最終を超えた場合には、抽出した設定内線番号または解除内線番号は、コネクト内線データテーブルＴCの着信先内線番号エリアＪRに存在しない内線番号であるということになる。
【００５９】
次に、コネクト設定情報ＪSを受信したか否かを判定し（ステップＳ１０９）、コネクト設定情報ＪSと判定されると、指定したコネクト内線データテーブルＴCの着信先内線番号に抽出されている設定内線番号（内線ｉ）を登録して処理を終了する（ステップＳ１１０）。ステップＳ１０９で、コネクト設定以外の受信情報であれば、処理を終了する。
【００６０】
ステップＳ１０６において、指定した着信先内線番号と、抽出した設定内線番号（内線ｉ）または解除内線番号（内線ｉ）が一致する場合には、設定内線番号（内線ｉ）または解除内線番号（内線ｉ）は、コネクト内線データテーブルＴCの着信先内線番号エリアＪRに存在する内線番号であるということになる。
【００６１】
次に、コネクト解除情報ＪOを受信したか否かを判定し（ステップＳ１１１）、コネクト解除情報ＪOと判定されると、指定したコネクト内線データテーブルＴCの着信先内線番号を消去して処理を終了する（ステップＳ１１２）。ステップＳ１１２で、コネクト解除以外の受信情報であれば、処理を終了する。
【００６２】
ステップＳ１０３において、指定した主内線番号と、抽出した主内線番号が一致しない場合には、コネクト内線データテーブルＴCの２番目の主内線番号（内線２）を指定する（ステップＳ１１３）。
【００６３】
ステップＳ１１３で、指定したコネクト内線データテーブルＴCの２番目の主内線番号（内線２）が最終の主内線番号を超えたか否かを判定する（ステップＳ１１４）。
【００６４】
最終の主内線番号を超えていない場合、ステップＳ１０３に移行し、コネクト内線データテーブルＴCの２番目の主内線番号（内線２）が抽出したコネクト設定情報ＪSまたはコネクト解除情報ＪOの主内線番号と一致するか否かを再度判定し、処理を継続する。
【００６５】
ステップＳ１１４を繰り返し、指定したコネクト内線データテーブルＴCの主内線番号が最終の主内線番号を超えた場合には、処理を終了する。
【００６６】
続いて、コネクト内線の呼出し、コネクト内線応答について説明する。図７はこの発明に係るコネクト呼出し／コネクト内線応答の一実施の形態動作シーケンス図である。なお、内線１０を発信者、内線１を主内線番号、内線２および内線３を相手先内線番号としたコネクトルーム化されたコネクト内線（着信者）、レジスタＲＧ９および制御装置４を対象にして説明する。
【００６７】
図７において、客室またはフロントなど、例えば内線１０（内線番号「１００９」）からコネクトルームの主内線番号（内線１：内線番号「１０００」）をダイヤル発信する（ステップＳ２００）。
【００６８】
制御装置４は、内線呼出処理により、コネクト呼出しを認識するコネクト内線データテーブルＴCから主内線番号（内線番号「１０００」）に関連した着信先内線番号である内線２（内線番号「１００１」および内線３（内線番号「１００２」）にリンガを鳴動する（ステップＳ２０１）。
【００６９】
ここで、内線呼出処理（ステップＳ２０１）について説明する。図８はこの発明に係るコネクト内線の呼出処理の一実施の形態動作フロー図である。制御装置４は、常時内線呼出要求を監視しているので（ステップＳ３００）、内線呼出情報（図５に示す操作情報ＪK）を受信した場合、操作情報ＪKの発呼内線番号と呼出内線番号を抽出し（ステップＳ３０１）、抽出した呼出内線番号の内線状態管理テーブルＴSが空き状態であるか否かを判定する（ステップＳ３０２）。
【００７０】
呼出内線番号が空きであった場合、呼出内線番号のリンガを鳴動させ（ステップＳ３０３）、呼出内線番号の内線状態管理テーブルＴSの内線状態エリアＪｂに着信中をセットし、接続先内線番号エリアＪｃに発呼内線番号をセットする（ステップＳ３０４）。さらに、発呼内線番号の内線状態管理テーブルＴSの内線状態エリアＪｂに発呼中をセットし、接続先内線番号エリアＪｃに呼出内線番号をセットする（ステップＳ３０５）ことにより、発呼者がダイヤル発信した内線番号のリンガが鳴動されることになる。
【００７１】
次に、呼出内線番号のコネクト内線データテーブルＴCの着信先内線番号エリアＪRの先頭着信先内線番号を抽出し（ステップＳ３０６）、着信先内線番号の登録があるか否かを判定する（ステップＳ３０７）。着信先内線番号の登録がある場合、着信先内線番号の内線状態管理テーブルＴSの内線状態エリアＪｂは、空き状態であるか否かを判定する（ステップＳ３０８）。
【００７２】
空き状態である場合には、コネクト呼出を認識し（ステップＳ３０９）、着信先内線番号のリンガを鳴動させ（ステップＳ３１０）、着信先内線番号の内線状態管理テーブルＴSの内線状態エリアＪｂに着信中をセットし、接続先内線番号エリアＪｃに発呼内線番号をセットする（ステップＳ３１１）。さらに、発呼内線番号の内線状態管理テーブルＴSの内線状態エリアＪｂに発呼中をセットし、接続先内線番号エリアＪｃに着信先内線番号を追加セットする（ステップＳ３１２）。
【００７３】
次に、呼出内線番号のコネクト内線データテーブルＴCの次の着信先内線番号を抽出しする（ステップＳ３１３）。抽出した着信先内線番号が最終を超えているか否かを判定し（ステップＳ３１４）、超えていなければステップＳ３０７に移行する。
【００７４】
ステップＳ３０２において、呼出内線番号の内線状態管理テーブルＴSの内線状態エリアＪｂが空き状態でない場合、発呼者がダイヤルした内線番号は、通話中などにより使用中であり、他に呼び出すべき内線番号のある可能性があるため、ステップＳ３０６以降の処理を行う。
【００７５】
ステップＳ３０７において着信先内線番号がない場合、およびステップＳ３０８において、着信先内線番号の内線状態管理テーブルＴSの内線状態エリアＪｂが空きでない場合には、ステップＳ３１３以降の処理を行う。
【００７６】
ステップＳ３１４において、抽出した着信先内線番号が最終を超えている場合には、処理を終了する。
【００７７】
これらのステップを繰り返すことにより、発呼者がダイヤルした内線番号がコネクト登録されている場合、実際にダイヤルした内線番号のほかに、着信先内線番号のリンガを鳴動させることが可能になる。
【００７８】
図７に戻り、ステップＳ２０１により、コネクト呼出しを認識し、リンガを鳴動された被呼者（例えば、内線２）がオフフックすることにより（ステップＳ２０２）、制御装置４は、内線応答処理によりコネクト応答を認識し、コネクト内線データテーブルＴCで主内線番号に対応した着信先内線番号に対し、リンガの鳴動を停止し、発呼内線番号と応答内線番号を通話路スイッチ３で接続して通話路を形成し、通話を可能にする（ステップＳ２０３）。
【００７９】
ここで、内線応答処理（ステップＳ２０３）について説明する。図９はこの発明に係るコネクト内線の応答処理の一実施の形態動作フロー図である。制御装置４は、常時、内線応答要求を監視しているので（ステップＳ４００）、内線呼出情報（図５に示す操作情報ＪK）を受信した場合、操作情報ＪKの応答内線番号を抽出し（ステップＳ４０１）、応答内線番号のリンガを停止する（ステップＳ４０２）。
【００８０】
応答内線番号の内線状態管理テーブルＴSの内線状態エリアＪｂに通話中をセットし、接続先内線番号エリアＪｃの内線番号を発呼内線番号として抽出する（ステップＳ４０３）。さらに、抽出した発呼内線番号の内線状態管理テーブルＴSの内線状態エリアＪｂに通話中をセットし（ステップＳ４０４）、発呼内線番号と応答内線番号を通話路スイッチ３で接続して通話路を形成する（ステップＳ４０５）。これにより、応答した内線番号のリンガの鳴動を停止し、発呼者と応答者の通話を可能にする。
【００８１】
次に、発呼内線番号の内線状態管理テーブルＴSの先頭の接続先内線番号を抽出し（ステップＳ４０６）、接続先内線番号の登録があるか否かを判定する（ステップＳ４０７）。接続先内線番号の登録がある場合、接続先内線番号と抽出した応答内線番号が異なる内線番号であるか否かを判定する（ステップＳ４０８）。
【００８２】
異なる内線番号である場合、コネクト応答を認識し（ステップＳ４０９）、接続先内線番号のリンガを停止し（ステップＳ４１０）、発呼内線番号の内線状態管理テーブルＴSの接続先内線番号エリアＪｃより、抽出している接続先内線番号を削除する（ステップＳ４１１）。さらに、接続先内線番号の内線状態管理テーブルＴSの内線状態エリアＪｂに空き状態をセットし、接続先内線番号エリアＪｃを全てクリアにする（ステップＳ４１２）。
【００８３】
続いて、発呼内線番号の内線状態管理テーブルＴSの次の接続先内線番号を抽出する（ステップＳ４１３）。抽出した接続先内線番号が最終を超えたか否かを判定し（ステップＳ４１４）、超えていなければステップＳ４０７に移行する。
【００８４】
ステップＳ４０７において、接続先内線番号がない場合、およびステップＳ４０８において、接続先内線番号と応答内線番号が同じ場合には、ステップＳ４１３以降の処理を行う。
【００８５】
ステップＳ４１４において、最終の接続先内線番号を超えた場合には、処理を終了する。
【００８６】
これらのステップを繰り返すことにより、コネクト主内線番号をダイヤルした発呼者は、最初に応答した応答内線番号（応答者）と通話路スイッチ３で接続して通話路を形成し、通話が可能になる。
【００８７】
なお、発呼者がコネクトされていない内線番号や、主内線番号でない着信先内線番号にダイヤルした場合でも、同様のシーケンスにより、１対１の呼出し→応答→通話の順で、通話が可能である。
【００８８】
また、本実施の形態では、複数の客室をコネクトルームにした場合について説明したが、例えば家族がそれぞれ別の部屋を利用するようなケースで、家族に連絡があるような場合に、家族全体をコネクト内線にし、一つの内線番号（主内線番号）を呼び出す（ダイヤル）だけで、関連する部屋の内線を同時に呼び出すことが可能になる。
【００８９】
さらに、本実施の形態では、構内交換機２を時分割交換機で構成した場合について説明したが、空間分割交換機で構成してもよい。
【００９０】
このように、この発明に係る構内交換機２は、コネクト内線データテーブルＴCに、主内線番号および着信先内線番号を設定し、あるいは削除する端末装置９を収容するので、主内線番号および着信先内線番号の設定または削除する単純な操作で、コネクトルームの設定または解消ができ、利便性の向上を図ることができる。
【００９１】
また、この発明に係る記憶装置５は、主内線番号毎に、現在の内線状態、接続先内線を記憶する内線状態管理テーブルＴSを備えたので、構内交換機２は、全ての内線電話機ＴＥＬ１〜ＴＥＬｎの状態を把握することができ、コネクトルームの内線電話機の呼出しを適切に実行することができる。
【００９２】
以上説明したように、この発明に係る構内交換システム１の構内交換機２は、１つの内線番号を主内線番号として、主内線番号に関連した着信先内線番号をコネクト内線データテーブルＴCとして記憶する記憶装置を備え、ダイヤル発信された内線番号がコネクト内線データテーブルの主内線番号と一致する場合、主内線番号および主内線番号に関連した着信先内線番号の内線電話機を同時に呼び出すので、一つの客室番号を覚え、その客室番号（主内線番号）をダイヤル発信するだけで、コネクトルームの全ての内線電話機を同時に呼び出すことができ、使い勝手の良さをアピールすることができる。
【産業上の利用可能性】
【００９３】
本発明に係る構内交換システムは、１客室の内線番号をダイヤル発信するだけで、コネクトルームの全ての内線電話機を同時に呼び出すことができ、ホテルなどの客室をコネクトルームにする全ての構内交換システムに適用することができる。
【図面の簡単な説明】
【００９４】
【図１】この発明に係る構内交換システムの一実施の形態システム構成図
【図２】この発明に係るコネクト内線データテーブルの一実施の形態イメージ構成図
【図３】この発明に係る内線状態管理テーブルの実施の形態イメージ図
【図４】この発明に係るコネクト設定情報／コネクト解除情報の一実施の形態イメージ図
【図５】この発明に係る操作情報の実施の形態イメージ図
【図６】この発明に係るコネクト登録／コネクト解除の一実施の形態処理動作フロー図
【図７】この発明に係るコネクト呼出し／コネクト内線応答の一実施の形態動作シーケンス図
【図８】この発明に係るコネクト内線の呼出処理の一実施の形態動作フロー図
【図９】この発明に係るコネクト内線の応答処理の一実施の形態動作フロー図
【符号の説明】
【００９５】
１    構内交換システム
２    構内交換機
３    通話路スイッチ
４    制御装置
５    記憶装置
６    電話機インタフェース部
７    レジスタインタフェース部
８    端末装置インタフェース部
９    端末装置
ＲＧ１〜ＲＧｋ    レジスタ
ＬＮ１〜ＬＮｎ    ライン回路
ＴＥＬ１〜ＴＥＬｎ    内線電話機
ＢＵＳ    制御バス
ＪC    コネクト内線データテーブル
ＪM    主内線番号エリア
ＪR    着信先内線番号エリア
ＴS    内線状態管理テーブル
Ｊａ    内線番号エリア
Ｊｂ    内線状態エリア
Ｊｃ    接続先内線エリア
ＪS    コネクト設定情報
ＪO    コネクト解除情報
ＪK    操作情報
【図１】
2007142635.tif 000003
【図２】
2007142635.tif 000004
【図３】
2007142635.tif 000005
【図４】
2007142635.tif 000006
【図５】
2007142635.tif 000007
【図６】
2007142635.tif 000008
【図７】
2007142635.tif 000009
【図８】
2007142635.tif 000010
【図９】
2007142635.tif 000011